(57)【要約】      （修正有）【課題】クーラーボックスの高さ寸法に関わらず、クーラーボックスの上面と面一を形成できるエキストラボックスを提供する。【解決手段】クーラーボックス１０に固定して用いるエキストラボックス３０の固定構造である。クーラーボックス１０の側面（たとえば短側面１２）へ固定する本体固定具２０と、エキストラボックス３０の側面３１へ固定するエキストラ固定具４０と、を備え、前記エキストラボックス３０は、その高さをクーラーボックス１０の高さ寸法を超えない寸法としている。前記の本体固定具２０とエキストラ固定具４０とは、着脱自在の構造を備える。その着脱自在構造は、装着状態を安定させるロック機構を備えてもよい。【選択図】図２
0003187113.tif 000002
【実用新案登録請求の範囲】
【請求項１】
クーラーボックスに固定して用いるエキストラボックスの固定構造であって、
クーラーボックスの側面へ固定する本体固定具と、
エキストラボックスの側面へ固定するエキストラ固定具と、を備え、
前記エキストラボックスは、その高さをクーラーボックスの高さ寸法を超えない寸法とし、
前記の本体固定具とエキストラ固定具とは、着脱自在の構造を備えて形成したエキストラボックス固定構造。
【請求項２】
前記の着脱自在の構造は、装着状態を安定させるロック機構を備えた請求項１に記載のエキストラボックス固定構造。
【請求項３】
クーラーボックスにおける一組の側面へショルダーベルト固定部を備える場合において、
本体固定具とそのエキストラ固定具とが固定された場合の厚さは、ショルダーベルト固定部へショルダーベルトが装着された状態でも邪魔にならない厚さ寸法として形成した請求項１または請求項２のいずれかに記載のエキストラボックス固定構造。
【考案の詳細な説明】
【技術分野】
【０００１】
本考案は、クーラーボックスの使用環境において必要または便利となる小物類を収納できる、クーラーボックスとは別体である追加収納体、およびその追加収納体をクーラーボックスへ固定する構造に関する。
【背景技術】
【０００２】
一般に、クーラーボックス（または保冷容器）は、ボックス形状の外ケースと内ケースの間に断熱材を配置しており、内ケースに入れた内容物の温度を、冷蔵または温蔵のためのエネルギ供給を行うことなく長時間にわたって外気温に近づけないために用いる。
内容物を主に保冷する場合が多く、たとえば、魚釣りや屋外レジャーなどに用いられる。この場合、クーラーボックスの内部へ氷や専用の保冷剤を入れ、その保冷剤のまわりにジュース缶等の飲物や魚などの被冷却物を収納する。
【０００３】
クーラーボックスを魚釣りや屋外レジャーに使用する場合、クーラーボックスへ収納しない道具類も必要であるので、そうした道具類は、クーラーボックスとは別の収納袋や収納箱へ入れて運搬し、クーラーボックスの近傍へ配置することが一般的である。以下、クーラーボックスとは別の収納箱を、「エキストラボックス」として説明する。
【０００４】
特許文献１は、背負うことができるとともに、基本収納体に対して第二収納体（上記のエキストラボックスに対応）を積層させ、付属体までも着脱自在に備えたクーラーボックスを開示している。
【０００５】
クーラーボックスの上面は、クーラーボックスを置いた面から適度な高さがあり、しかも置いた面が水平であれば水平となる。そのため、ちょっとした作業をしたり、一時的に物や道具を置いたりするのに便利である。
そのちょっとした作業に使用する道具類は、その作業者のポケットや前記のエキストラボックスに収納されている物が多い。クーラーボックスの上面へ一時的に置かれる物や道具類も、エキストラボックスに収納されている物が多い。
【先行技術文献】
【特許文献】
【０００６】
【特許文献１】特開平７−２２２６２２号公報
【考案の概要】
【考案が解決しようとする課題】
【０００７】
エキストラボックスの上面が、クーラーボックスの上面と面一をなしていれば、クーラーボックスの上面を活用し、ちょっとした作業や一時的に物や道具を置いたりする利便性を高められる。
しかし、クーラーボックスのサイズ、特に高さ寸法は一種類に限られない。クーラーボックスの高さ寸法に応じてエキストラボックスを設計していたのでは、用意すべきエキストラボックスの種類が増えてしまい、合理的ではない。
【０００８】
本考案が解決しようとする課題は、クーラーボックスの高さ寸法に関わらず、クーラーボックスの上面と面一を形成できるエキストラボックス、およびそのようなエキストラボックスの固定構造を提供することにある。
【課題を解決するための手段】
【０００９】
（第一の考案）
本願における第一の考案は、クーラーボックス(10)に固定して用いるエキストラボックス(30)の固定構造に係る。
すなわち、クーラーボックス(10)の側面（たとえば短側面12）へ固定する本体固定具(20)と、  エキストラボックス(30)の側面(31)へ固定するエキストラ固定具(40)と、を備え、  前記エキストラボックス(30)は、その高さをクーラーボックス(10)の高さ寸法を超えない寸法としている。
前記の本体固定具(20)とエキストラ固定具(40)とは、着脱自在の構造を備える。
前記の着脱自在の構造は、装着状態を安定させるロック機構を備えると、より好ましい。
【００１０】
（用語説明）
この考案に係る「クーラーボックス(10)」とは、上面(13)のみが開口する直方体ボックス形状をなして外ケースを樹脂製としたハードタイプと呼ばれるものである。
「エキストラボックス(30)」は、外ケースを樹脂製や金属製とした箱状体である。外ケースには断熱性が特に要求されるものではない。エキストラボックス(30)の高さは、エキストラボックス(30)の装着を予定しているクーラーボックス(10)における最も低い寸法を基準として決定する。
「本体固定具(20)とエキストラ固定具(40)」とによる「着脱自在の構造」とは、たとえば、ワンタッチファスナーである。装着状態を安定させるロック機構を備えたワンタッチファスナーであることが望ましい。
「本体固定具(20)とエキストラ固定具(40)とが固定された場合にクーラーボックス(10)の上面(13)とエキストラボックス(30)の上面(33)とが面一となる」ように、本体固定具(20)をクーラーボックス(10)へ、エキストラ固定具(40)をエキストラボックス(30)へ、それぞれ予め固定しておく。
【００１１】
（作用）
クーラーボックス(10)の側面(12)へは、本体固定具(20)を固定する。エキストラボックス(30)の側面(31)へは、エキストラ固定具(40)を固定する。
本体固定具(20)とそのエキストラ固定具(40)とを固定することで、クーラーボックス(10)の側面にエキストラボックス(30)が固定される。その場合、クーラーボックス(10)の上面(13)とエキストラボックス(30)の上面(33)とが面一となるように形成すれば、ちょっとした作業や一時的に物や道具を置いたりすることができる。
本体固定具(20)とそのエキストラ固定具(40)とは、着脱自在の構造なので、エキストラボックス(30)が不要な場合には、本体固定具(20)とそのエキストラ固定具(40)とを外すことで、エキストラボックス(30)をクーラーボックス(10)から外す。
【００１２】
（第一の考案のバリエーション１）
第一の考案は、以下のように形成しても良い。
クーラーボックス(10)における一組の側面へショルダーベルト固定部(19)を備える場合において、  本体固定具(20)とそのエキストラ固定具(40)とが固定された場合の厚さは、ショルダーベルト固定部(19)へショルダーベルトが装着された状態でも邪魔にならない厚さ寸法として形成する。
具体的な「本体固定具(20)とそのエキストラ固定具(40)とが固定された場合の厚さ」は、ショルダーベルト固定部(19)の厚さに２〜５ミリメートル程度を加えた寸法が合理的である。
【００１３】
（作用）
クーラーボックス(10)には、一組の側面（多くは短側面12）の上部へショルダーベルト固定部(19)を備えたものが多い。そのようなクーラーボックス(10)に対して、ショルダーベルト固定部(19)が備えられた側面(12)の一方または両方へエキストラボックス(30)を固定することができる（図５参照）。
ショルダーベルト固定部(19)の厚さ寸法は、クーラーボックス(10)の全体寸法からすれば大きなサイズではないが、出っ張った部位となってしまう。そこへエキストラボックス(30)が装着されることができるので、エキストラボックス(30)を装着したクーラーボックス(10)全体として、出っ張り部分が隠されるため、合理的である。
【００１４】
（第二の考案）
第二の考案は、クーラーボックス(10)に固定して用いるエキストラボックス(30)の固定方法に係る（図５参照）。
まず、クーラーボックス(10)およびエキストラボックス(30)は、第一の考案に記載したエキストラボックス(30)の固定構造である。
すなわち、  クーラーボックス(10)におけるショルダーベルト固定部(19)が存在する側面(12)の一方または双方へ固定する本体固定具(20)と、  エキストラボックス(30)の側面(32)へ固定するエキストラ固定具(40)と、を備える。
前記エキストラボックス(30)は、その高さをクーラーボックス(10)の高さ寸法を超えない寸法として形成するとともに、  前記の本体固定具(20)とエキストラ固定具(40)とは、着脱自在の構造を備える。
固定方法は、  面一である作業面(50)へクーラーボックス(10)の上面(13)およびエキストラボックス(30)の上面(13)を置く第一工程と、  本体固定具(20)を固定した状態のエキストラ固定具(40)をエキストラボックス(30)の側面(32)へ固定する第二工程と、  エキストラ固定具(40)に固定されている本体固定具(20)をクーラーボックス(10)におけるショルダーベルト固定部(19)が存在する側面(12)へ固定する第三工程と、を含む。
第一工程と第二工程とは、その順序が入れ替わっても良い。
【００１５】
（第二の考案のバリエーション１）
第二の考案は、以下のようにしても良い。
すなわち、前記の第三工程においては、エキストラ固定具(40)に固定されている本体固定具(20)の、クーラーボックス(10)におけるショルダーベルト固定部(19)が存在する側面(12)への固定位置を確認する確認工程と、  エキストラ固定具(40)から本体固定具(20)を外す取り外し工程と、  外された本体固定具(20)をクーラーボックス(10)におけるショルダーベルト固定部(19)が存在する側面(12)への固定する固定工程と、を含むこととしてもよい。
【００１６】
（第三の考案）
第三の考案もまた、クーラーボックス(10)に固定して用いるエキストラボックス(30)の固定方法に係る。
クーラーボックス(10)およびエキストラボックス(30)は、第一の考案に記載したエキストラボックス(30)の固定構造である点は、第二の考案と同様である。
固定方法は、  面一である作業面(50)へクーラーボックス(10)の上面(13)およびエキストラボックス(30)の上面(33)を置く第一工程と、  エキストラ固定具(40)を固定した状態の本体固定具(20)をクーラーボックス(10)におけるショルダーベルト固定部(19)が存在する側面(12)へ固定する第二工程と、  本体固定具(20)に固定されているエキストラ固定具(40)をエキストラボックス(30)の側面(31)へ固定する第三工程と、を含む。
第一工程と第二工程とは、その順序が入れ替わっても良い。
【００１７】
（第三の考案のバリエーション１）
第三の考案は、以下のようにしても良い。
すなわち、前記の第三工程においては、本体固定具(20)からエキストラ固定具(40)を外す取り外し工程と、  外されたエキストラ固定具(40)をエキストラボックス(30)の側面(31)への固定する固定工程と、を含むこととしてもよい。
【考案の効果】
【００１８】
第一の考案によれば、クーラーボックスの高さ寸法に関わらず、クーラーボックスの上面と面一を形成できるエキストラボックス固定構造を提供することができた。
第二および第三の考案によれば、クーラーボックスの高さ寸法に関わらず、クーラーボックスの上面と面一を形成できるエキストラボックス固定方法を提供することができた。
【図面の簡単な説明】
【００１９】
【図１】本考案の第一の実施形態を示す組立斜視図である。
【図２】本考案の第一の実施形態における主要部を示す斜視図である。
【図３】本考案の第一の実施形態におけるエキストラボックスの組立斜視図である。
【図４】本考案の第一の実施形態におけるエキストラボックスの固定構造を示す組立斜視図である。
【図５】本考案の第一の実施形態の組立手順を示す側面図である。
【図６】第一および第二の実施形態を比較して示す側面図である。
【考案を実施するための形態】
【００２０】
以下、本考案の実施形態について図面を参照して説明する。  ここで使用する図面は、図１から図６である。
なお、図１から図４においては、説明の便宜上、ショルダーベルト固定部１９を省略している。
【００２１】
図１から図５を用いて示す第一の実施形態は、  クーラーボックス１０に固定して用いるエキストラボックス３０の固定構造である。
クーラーボックス１０は、上面のみが開口する直方体ボックス形状をなして外ケースを樹脂製としたいわゆるハードタイプである。平面形状における長辺方向の側面（長側面１１）の上部両端に回転軸があり、上蓋の両開きが可能である。
クーラーボックス１０における短い方の側面（短側面１２）の一つには、本体固定具２０を固定する。
【００２２】
エキストラボックス３０は、その高さをクーラーボックス１０の高さ寸法を超えない寸法としている。また、クーラーボックス１０における短い方の一側面とほぼ同じ寸法の側面（長側面３１）と、その側面よりも小さな寸法の側面（短側面３２）とをなす。そして、エキストラボックス３０における長側面３１の一つには、エキストラ固定具４０を固定する（図２参照）。
なお、エキストラボックス３０は、クーラーボックス１０における他の短側面１２へも固定し、収納力のアップを企図しても良い。
また、エキストラボックス３０を、クーラーボックス１０における長側面１１のいずれか一方または双方へ固定することとしても良い。
【００２３】
図２に本体固定具３０とエキストラ固定具４０とは、ともに樹脂成型品であり、着脱自在の構造を備える。ここでは、エキストラ固定具４０には、四隅に近い位置に設けられた逆Ｌ字形断面をなす４つの挿入片４１と、その挿入片４１における下の２つに挟まれた位置に設けられた着脱レバー４２とがある。本体固定具２０には、挿入片４１を挿入される４つの挿入孔２１と、着脱レバー４２の下端を引っ掛けるための掛け板２２とを備えている。
【００２４】
図４をも参照させながら説明する。エキストラ固定具４０における４つの挿入片４１を本体固定具２０における挿入孔２１へ挿入した場合、エキストラボックス３０およびその内容物の重量のほとんどを支えることとなる。
エキストラ固定具４０を本体固定部２０へ装着した場合には、着脱レバー４２の下端が掛け板２２の下端へ引っ掛かる。それによって、エキストラボックス３０がクーラーボックス１０に対してずれることなく固定される。  この場合、クーラーボックス１０の上面１３とエキストラボックス３０の上面３３とが面一となる位置へ、本体固定具２０およびエキストラ固定具４０は固定されている。
【００２５】
エキストラ固定具４０を本体固定部２０から外す場合、着脱レバー４２を変形させ、掛け板２２の下端に引っ掛かっていた着脱レバー４２の下端を外す。  それによって、エキストラボックス３０をクーラーボックス１０に対してずらすことができるようになる。  その状態で、エキストラボックス３０をクーラーボックス１０に対して持ち上げ、挿入孔２１へ挿入されていた挿入片４１を取り出す。これによって、エキストラ固定具４０は、本体固定部２０から外されることとなる。
【００２６】
図３は、エキストラボックス３０の詳細を示す組立斜視図である。
エキストラボックス３０は、上面を開放した箱体と、その箱体に対して着脱自在な上蓋３４と、その上蓋３４の直下に位置して箱体の内部空間を仕切る中箱３９とを備えている。上蓋３４は、箱体における短側面３２の上端へ備えられた上蓋レバー３５によって、箱体へ固定される。
長側面３１の所定位置には、エキストラ固定具４０を固定する。そして、そのエキストラ固定具４０には、本体固定具２０が着脱自在となる。
【００２７】
図５は、クーラーボックス１０、本体固定具２０，エキストラボックス３０、エキストラ固定具４０のそれぞれを、適切な位置へ固定するための手順の一例（請求項３，４に該当）を示したものである。
図５では、図１から図４において説明の便宜上、省略していたショルダーベルト固定部１９を描き込んでいる。  ハードタイプのほとんどのクーラーボックス１０には、一組の側面（そのほとんどが短側面１２）の上部へショルダーベルト固定部１９を備えている。
【００２８】
本実施形態に係るエキストラボックス３０の固定構造においては、このショルダーベルト固定部１９と干渉しない構造を提供している。  すなわち、本体固定具２０とそのエキストラ固定具４０とが固定された場合の厚さは、ショルダーベルト固定部１９へショルダーベルトが装着された状態でも邪魔にならない厚さ寸法として形成する。  具体的には、ショルダーベルト固定部１９の厚さに３ミリメートル程度を加えた寸法である。ただし、ほぼ隙間がなくてもエキストラボックス３０の固定構造は形成可能である。
【００２９】
以下、固定手順を説明する。
図５（ａ）に示すように、本体固定具２０を固定した状態のエキストラ固定具４０をエキストラボックス３０の側面３１へ固定する。そして、図５（ｂ）に示すように、面一である作業面５０へクーラーボックス１０の上面１３およびエキストラボックス３０の上面１３を置く。
【００３０】
離して置いたクーラーボックス１０およびエキストラボックス３０であるが、エキストラ固定具４０に固定された本体固定具２０をクーラーボックス１０（の短側面１２）へ接触させ、クーラーボックス１０（の短側面１２）へ固定位置を確認する。
確認できたら、クーラーボックス１０（の短側面１２）へ本体固定具２０を固定する（図５（ｃ））。
【００３１】
クーラーボックス１０への本体固定具２０の固定作業が完了したら、エキストラボックス３０を固定した状態のクーラーボックス１０をひっくり返して、クーラーボックス１０およびエキストラボックス３０への物の出し入れができる状態とする。この時、クーラーボックス１０の上面１３およびエキストラボックス３０の上面３３は面一となる（図５（ｄ））。したがって、ちょっとした作業や一時的に物や道具を置いたりすることができる。
なお、ショルダーベルト固定部１９へショルダーベルトが装着された状態でも、エキストラ固定具４０およびそのエキストラ固定具４０に固定された本体固定具２０は、ショルダーベルト固定部１９およびそれに通されたショルダーベルトの邪魔にはならない。
【００３２】
エキストラ固定具４０および本体固定具２０は着脱自在であるので、必要に応じて取り外す。すると、エキストラボックス３０はクーラーボックス１０と別体とすることができる（図５（ｅ））。
【００３３】
図５を用いて説明したクーラーボックス１０、本体固定具２０，エキストラボックス３０、エキストラ固定具４０のそれぞれを、適切な位置へ固定するための手順は、これに限られない。
たとえば、クーラーボックス１０へ本体固定具２０およびエキストラ固定具４０を固定しておき、エキストラ固定具４０のエキストラボックス３０への固定位置を確認してからエキストラ固定具４０をエキストラボックス３０へ固定する、という手順を採用する場合もある。
【００３４】
図６は、これまで説明してきた第一の実施形態に係るクーラーボックス１０と、別のクーラーボックス１０Ａとを比較して説明するための図である。
すなわち、図６（ｂ）に示す別のクーラーボックス１０Ａは、図６（ａ）に示すクーラーボックス１０とは、高さ寸法および長側面１１における水平方向寸法が短い。  しかし、エキストラボックス３０は共通である。
【００３５】
エキストラボックス３０の高さ方向寸法は、エキストラボックス３０を装着することが想定されるクーラーボックス１０Ａにおける最も低い高さ寸法に合わせて設計している。すなわち、装着を想定した最も低い高さ寸法をなすクーラーボックス１０Ａへ装着しても、クーラーボックス１０Ａの上面１３とエキストラボックス３０の上面３３とが面一となる。且つ、ショルダーベルト固定部１９およびショルダーベルトとは干渉しない。
【産業上の利用可能性】
【００３６】
本考案は、クーラーボックスまたはクーラーボックスの付属品としてのエキストラボックスの製造業、釣り具の販売業やレンタル業、アウトドアスポーツのインストラクター事業などにおいて、利用可能性を有する。
【符号の説明】
【００３７】
１０；  クーラーボックス          １０A；クーラーボックス
１１；  長側面                    １２；  短側面
１３；  上面
１９；  ショルダーベルト固定部
２０；  本体固定具                ２１；  挿入孔
２２；  掛け板
３０；  エキストラボックス        ３１；  長側面
３２；  短側面                    ３３；  上面
３４；  上蓋                      ３５；  上蓋レバー
３９；  中箱
４０；  エキストラ固定具          ４１；  挿入片
４２；  着脱レバー
５０；  作業面
【図１】
0003187113.tif 000003
【図２】
0003187113.tif 000004
【図３】
0003187113.tif 000005
【図４】
0003187113.tif 000006
【図５】
0003187113.tif 000007
【図６】
0003187113.tif 000008